(57)【要約】【課題】この発明は、受信装置に関し、受信装置を小型化することを課題とする。【解決手段】入力された選局信号に応答して特定の発振周波数を持つ局部発振信号を生成する局部発振器と、前記選局信号と通過帯域周波数とが関係づけられた周波数情報を記憶した記憶部と、記憶部から読み出した周波数情報および入力された選局信号を利用して通過帯域周波数を選択する通過周波数制御部と、選択された通過帯域周波数に対応する帯域制限用制御信号が、通過周波数制御部から与えられ、入力されたＲＦ信号のうち前記選択通過帯域周波数に対応する部分の信号のみを帯域通過させる入力フィルタと、入力フィルタから出力される帯域信号を、前記局部発振信号に基づいて周波数変換する変換器とを備え、少なくとも入力フィルタの一部と局部発振器とが１つのＩＣに内蔵されたことを特徴とする。【選択図】  図１
2004158979.tif 000002
【特許請求の範囲】
【請求項１】
入力された選局信号に応答して特定の発振周波数を持つ局部発振信号を生成する局部発振器と、前記選局信号と通過帯域周波数とが関係づけられた周波数情報を記憶した記憶部と、記憶部から読み出した周波数情報および入力された選局信号を利用して通過帯域周波数を選択する通過周波数制御部と、選択された通過帯域周波数に対応する帯域制限用制御信号が、通過周波数制御部から与えられ、入力されたＲＦ信号のうち前記選択通過帯域周波数に対応する部分の信号のみを帯域通過させる入力フィルタと、入力フィルタから出力される帯域信号を、前記局部発振信号に基づいて周波数変換する変換器とを備え、少なくとも入力フィルタの一部と局部発振器とが１つのＩＣに内蔵されたことを特徴とする受信装置。
【請求項２】
前記記憶部が、書き換え可能な不揮発性素子からなり、前記周波数情報が、記憶部に書き換え可能なように記憶されることを特徴とする請求項１の受信装置。
【請求項３】
前記入力フィルタが、１つのコイルと、複数個のコンデンサと、各コンデンサに直列に接続されたスイッチとからなり、前記コイルと各コンデンサとは、入力されるＲＦ信号と接地端子に対して並列に接続され、前記帯域制御用制御信号により前記スイッチの開閉が制御されることを特徴とする請求項１または２の受信装置。
【請求項４】
前記入力フィルタが、１つのコイルと、ＭＯＳトランジスタと抵抗素子とで形成された容量可変コンデンサとからなり、前記コイルと容量可変コンデンサとは、入力されるＲＦ信号に対して並列に接続され、前記帯域制限用制御信号により前記容量可変コンデンサの容量が変化させられることを特徴とする請求項１または２の受信装置。
【請求項５】
前記局部発振器が、入力された選局信号に対応した制御電圧を生成するＰＬＬ回路と、前記制御電圧を受けて所定の局部発振信号を生成するＶＣＯ回路とからなり、前記通過周波数制御部が、前記ＰＬＬ回路から与えられる制御電圧に基づいて選択された通過帯域周波数を調整し、調整後の通過帯域周波数に対応する帯域制限用制御信号を出力することを特徴とする請求項１の受信装置。
【請求項６】
前記記憶部が、使用環境温度ごとに分類された周波数情報を記憶していることを特徴とする請求項１または２の受信装置。
【請求項７】
使用環境温度を検出し、温度情報を通過周波数制御部に出力する温度検出部をさらに備え、通過周波数制御部が、検出された温度情報に対応する周波数情報を記憶部から読み出すことを特徴とする請求項６の受信装置。
【請求項８】
前記記憶部が、入力フィルタを構成する素子の特性のばらつきごとに分類された周波数情報を記憶していることを特徴とする請求項１または２の受信装置。
【請求項９】
前記入力フィルタを構成する素子の特性のばらつき特性を検出し、ばらつき情報を通過周波数制御部に出力する素子ばらつき検出部をさらに備え、通過周波数制御部が、前記検出されたばらつき情報に対応する周波数情報を記憶部から読み出すことを特徴とする請求項８の受信装置。
【発明の詳細な説明】
【０００１】
【発明の属する技術分野】
この発明は、受信装置に関し、特にテレビ受信機に使用され、いわゆるチューナ機能を有する受信装置に関する。
【０００２】
【従来の技術】
従来、テレビ受信機は、放送されてくるＶＨＦやＵＨＦのテレビ信号を選択的に受信する受信装置を備えている。
図５に、従来の受信装置の概略構成図を示す。
図５において、テレビ信号などのＲＦ信号１１を受信して所定の帯域制限をする入力フィルタ１、帯域制限した信号を増幅するＲＦアンプ２、受信すべき信号を選択する段間フィルタ３、周波数変換により局部発振信号１４に応じた出力信号（ＩＦ信号）を生成するミキサ４、および局部発振信号１４を生成するための局部発振器１０とから構成される。局部発振器１０は、入力される選局信号１３に応じた制御電圧Ｖ１５を生成するＰＬＬ回路５と、制御電圧１５に応じた局部発振信号１４を生成するＶＣＯ回路６とから構成される。
ここで、入力フィルタ１と段間フィルタ３は、コイルと容量可変コンデンサからなる同調フィルタである。
【０００３】
この受信装置では、次のようにして、入力されたＲＦ信号１１の中から、選局信号１３に同調した出力信号１２が選択出力される。
まず、選局信号１３がＰＬＬ回路５に与えられると、ＰＬＬ回路５は、選局信号に応じた制御電圧Ｖ１５をＶＣＯ回路６に与える。
ＶＣＯ回路６は、与えられた制御電圧Ｖ１５により、選局信号に応じた周波数を持つ局部発振信号１４を、ミキサ４に出力する。ＰＬＬ回路５から出力された制御電圧Ｖ１５は、入力フィルタ１と段間フィルタ３にも与えられ、両フィルタの通過帯域が決定される。この通過帯域は、局部発振信号１４の周波数に同期して変化する。
【０００４】
一方、ＲＦ信号１１は、入力フィルタ１に入力され、入力フィルタ１によって設定された所定の通過帯域外の信号が減衰されて、ＲＦアンプ２に出力される。ＲＦアンプ２では、通過帯域内の信号が増幅され、段間フィルタ３に出力される。
段間フィルタ３では、入力された信号のうち、制御電圧Ｖ１５により設定された通過帯域外の信号がさらに減衰され、ミキサ４に出力される。ミキサ４は、ＶＣＯ回路６から与えられた局部発振信号１４を利用して、段間フィルタ３から与えられた信号を周波数変換し、受信映像出力信号１２として出力する。
【０００５】
たとえば、テレビチューナでは、入力フィルタ１の通過周波数を選局信号に対応した局部発振信号により変化させ、所望の受信チャネルの出力信号１２を得る。テレビチューナで受信されるＲＦ信号１１の受信周波数ｆ（ＲＦ）は９３ＭＨｚから７６７ＭＨｚの帯域幅を持っているが、ミキサ４の出力信号１２の周波数ｆ（ＩＦ）は５７ＭＨｚに固定されている。そのため、ミキサ４で周波数変換を行う基準となる局部発振信号１４の発振周波数ｆ（ｌｏ）は、１５０ＭＨｚから８３３ＭＨｚの範囲を持つ必要がある。
【０００６】
ところで、入力フィルタ１がないと、周波数ｆ（ＲＦ）を持つＲＦ信号１１がそのままミキサ４で周波数変換され、周波数［ｆ（ｌｏ）−ｆ（ＲＦ）］を持つ信号１２が出力される。
しかし、これと同時に、周波数２×ｆ（ｌｏ）−ｆ（ＲＦ）を持つイメージ信号も周波数変換され、同じ周波数［ｆ（ｌｏ）−ｆ（ＲＦ）］を持ったイメージ信号として出力されることになる。このイメージ信号は表示のためには不要な信号であるので、ミキサ４に入力される前に減衰させておく必要がある。
【０００７】
また、テレビチューナの受信周波数は高周波帯域（９３ＭＨｚ〜７６７ＭＨｚ）にあるので、この帯域をすべて通過させてしまうと、周波数ｆ（ＲＦ）と［ｆ（ｌｏ）−ｆ（ＲＦ）］の両方ともが通過帯域に含まれてしまうことになり、イメージ信号を減衰させることができない。
そこで、イメージ信号を減衰させるために、入力フィルタ１がイメージ信号の減衰のために設けられるが、入力フィルタ１の通過周波数帯域を受信周波数ｆ（ＲＦ）の帯域よりも狭くし、かつ局部発振信号に応じて変化させる必要がある。
【０００８】
本願の受信装置に関連する技術としては、ＩＦ周波数またはＩＦ帯域幅の異なる信号を同一のチューナで受信し、ＩＦフィルタ等の回路を集積小型化したチューナ回路がある（たとえば、特許文献１）。
また、チューナ回路の高周波回路部分にＲＦ増幅用ＩＣとＡＧＣミクサ回路用ＩＣを用いて、チューナの全回路を平衡形の回路で構成することにより、部品点数を少なくし、歪特性を改善したＩＣ化受信装置がある（たとえば、特許文献２）。
【０００９】
【特許文献１】
特開平５−２１８８９４号公報（段落［００１６］〜［００１９］）
【特許文献２】
特開平６−６９８２９号公報（段落［００１０］、図１）
【００１０】
【発明が解決しようとする課題】
ところで、今日、このような受信装置を携帯機器に搭載するために、受信装置の小型化と低消費電力化が要望されている。そこで、従来のテレビチューナ等で用いられる受信装置では、ミキサ部分のＩＣ化等により装置の小型化が図られているが、入力フィルタ自体はディスクリート部品で構成されているので、部品点数も多く、回路構成が複雑であり、さらなる小型化の要望に対応するのは困難であった。
【００１１】
また、小型化のためにいわゆるアップダウン方式を採用した受信装置も開発されているが、これは消費電力が大きいので、携帯機器への採用は難しい。さらに、前記したように、イメージ信号を減衰させるために、局部発振信号に応じて、入力フィルタの通過周波数帯域を変化させる必要があるが、この変化のための制御回路が必要であるため、さらなる小型化は難しい。
そこで、この発明は、入力フィルタの通過周波数情報を予め記憶し、この情報を読み出して通過周波数の変換を行うことにより、小型化を図った受信装置を提供することを課題とする。
【００１２】
【課題を解決するための手段】
入力された選局信号に応答して特定の発振周波数を持つ局部発振信号を生成する局部発振器と、前記選局信号と通過帯域周波数とが関係づけられた周波数情報を記憶した記憶部と、記憶部から読み出した周波数情報および入力された選局信号を利用して通過帯域周波数を選択する通過周波数制御部と、選択された通過帯域周波数に対応する帯域制限用制御信号が、通過周波数制御部から与えられ、入力されたＲＦ信号のうち前記選択通過帯域周波数に対応する部分の信号のみを帯域通過させる入力フィルタと、入力フィルタから出力される帯域信号を、前記局部発振信号に基づいて周波数変換する変換器とを備え、少なくとも入力フィルタの一部と局部発振器とが１つのＩＣに内蔵されたことを特徴とする受信装置を提供するものである。
【００１３】
ここで、前記記憶部は、書き換え可能な不揮発性素子からなり、前記周波数情報が、記憶部に書き換え可能なように記憶されるようにしてもよい。
また、前記入力フィルタが、１つのコイルと、複数個のコンデンサと、各コンデンサに直列に接続されたスイッチとからなり、前記コイルと各コンデンサは、入力されるＲＦ信号と接地端子に対して並列に接続され、前記帯域制御用制御信号により前記スイッチの開閉が制御されるようにしてもよい。
【００１４】
さらに、前記入力フィルタが、１つのコイルと、ＭＯＳトランジスタと抵抗素子とで形成された容量可変コンデンサとからなり、前記コイルと容量可変コンデンサは、入力されるＲＦ信号に対して並列に接続され、前記帯域制限用制御信号により前記容量可変コンデンサの容量が変化させられるようにしてもよい。
【００１５】
また、この発明は、前記局部発振器が、入力された選局信号に対応した制御電圧を生成するＰＬＬ回路と、前記制御電圧を受けて所定の局部発振信号を生成するＶＣＯ回路とからなり、前記通過周波数制御部が、前記制御電圧を受けて選択された通過帯域周波数を調整し、調整後の通過帯域周波数に対応する帯域制限用制御信号を出力する受信装置を提供するものである。
これによれば、記憶部に記憶される周波数情報を変更するだけで、容易に通過周波数の変更，更新ができる。また、入力フィルタを構成する素子を集積回路化できるので、受信装置の小型化をすることができる。
【００１６】
また、この発明において、前記記憶部は、使用環境温度ごとに分類された周波数情報を記憶するようにしてもよい。
ここで、使用環境温度を検出し、温度情報を通過周波数制御部に出力する温度検出部をさらに備え、通過周波数制御部が、検出された温度情報に対応する周波数情報を記憶部から読み出すようにしてもよい。
【００１７】
さらに、前記記憶部は、入力フィルタを構成する素子の特性のばらつきごとに分類された周波数情報を記憶するようにしてもよい。
ここで、前記入力フィルタを構成する素子の特性のばらつきを検出し、ばらつき情報を通過周波数制御部に出力する素子ばらつき検出部をさらに備え、通過周波数制御部が、検出されたばらつき情報に対応する周波数情報を記憶部から読み出すようにしてもよい。
【００１８】
以下の実施例では、帯域制限用制御信号を、単に制御信号と呼ぶ。また、記憶部に記憶される周波数情報を、テーブルデータと呼ぶ。
【００１９】
【発明の実施の形態】
以下、図面に示す実施の形態に基づいてこの発明を詳述する。なお、これによってこの発明が限定されるものではない。
＜実施例１＞
図１に、この発明の実施例１の受信装置の構成図を示す。
図１において、受信装置は、従来と同様の機能を有する入力フィルタ１０３、ミキサ１０４、局部発振器１０５の他に、通過周波数制御装置１０１、記憶装置１０２とを備える。記憶装置１０２は、たとえばＲＡＭ、ＲＯＭ、ハードディスク、ＩＣカードメモリなどの不揮発性メモリを用いることができる。
また、ミキサ１０４は、前記した変換器に相当する。
【００２０】
記憶装置１０２には、入力フィルタの通過帯域周波数に関する情報（以下、テーブルデータと呼ぶ）が記憶されている。テーブルデータとは、通過帯域の周波数に対応する情報と、選局信号ＳＧ４の値とを対にして記憶したものである。たとえば、周波数に対応する情報として、図６に示すように、入力フィルタを構成するスイッチのｏｎ／ｏｆｆ情報が記憶される。
また、後述する図３のような入力フィルタの場合は、各選局信号に対応する制御電圧が記憶される。
【００２１】
また、種々の周波数や選択信号に対応するために、記憶装置１０２は書き換え可能なメモリ（たとえばＲＡＭ、フラッシュメモリ）を用いることが好ましい。さらに、記憶装置１０２は、図示していないＣＰＵや、外部パソコンやキーボードなどの入力装置に接続されて容易に書きかえられるようにすることが好ましい。あるいは、ＩＣカードメモリの場合は、予め異なるデータが書き込まれたＩＣカードメモリと変換すればよい。
【００２２】
通過周波数制御装置１０１は、記憶装置１０２に記憶されたテーブルデータの数値を読み込んで、入力された選局信号ＳＧ４と照合することにより選局信号ＳＧ４と対応する周波数を選択し、さらにこの周波数に対応する制御信号ＳＧ３を入力フィルタ１０３に出力する装置である。
制御信号ＳＧ３は、従来の制御電圧Ｖ１５に相当する信号であり、この信号ＳＧ３を利用して、入力フィルタ１０３に入力されたＲＦ信号ＳＧ１の通過周波数の帯域が制限される。
【００２３】
選局信号ＳＧ４は、図示していない外部の選局装置から与えられるアナログ信号であり、通過周波数制御装置１０１とＰＬＬ回路１０７に同時に与えられる。局部発振信号ＳＧ２は、従来と同様に、ＰＬＬ回路１０７からの制御電圧Ｖに基づいてＶＣＯ回路１０６によって生成される信号であり、ミキサ１０４に与えられるアナログ信号である。
【００２４】
ＲＦ信号ＳＧ１は、図示していない外部のＬＮＡ（Ｌｏｗ  ｎｏｉｓｅ  ａｍｐ）やＡＧＣ（Ａｕｔｏ  ｇａｉｎ  ｃｏｎｔｒｏｌｌｅｒ）等から入力フィルタ１０３に与えられるアナログ信号である。
帯域信号ＳＧ５は、入力フィルタ１０３によって所定の帯域外の周波数成分が減衰されたＲＦ信号であり、入力フィルタ１０３からミキサ１０４に出力される信号である。
出力信号ＳＧ６は、従来と同様に、ミキサ１０４で帯域信号ＳＧ５を周波数変換したアナログ信号であり、図示していない次段の回路ブロック、たとえばバンドパスフィルタ，ＡＧＣ，増幅回路等に与えられる。
【００２５】
以下に、この実施例１の受信装置の動作について説明する。
まず、選局信号ＳＧ４が受信装置に入力されると、この信号ＳＧ４は、通過周波数制御装置１０１とＰＰＬ回路１０７に与えられる。通過周波数制御装置１０１は、選局信号ＳＧ４が与えられると、記憶装置１０２のデーブルデータを読み出して選局信号ＳＧ４に対応する周波数を選択し、この選択周波数に対応づけられた制御信号ＳＧ３を入力フィルタ１０３に出力する。
【００２６】
一方、選局信号ＳＧ４が与えられたＰＬＬ回路１０７は、選局信号ＳＧ４をもとに、制御電圧Ｖを生成し、ＶＣＯ回路１０６に与える。
そして、ＶＣＯ回路１０６は、与えられた制御電圧Ｖに対応させた局部発振信号ＳＧ２をミキサ１０４に出力する。
また、入力フィルタ１０３では、入力されたＲＦ信号ＳＧ１の周波数帯域を、通過周波数制御装置１０１から与えられた制御信号ＳＧ３に基づいて制御し、帯域制限されたＲＦ信号である帯域信号ＳＧ５をミキサ１０４に出力する。
そして、ミキサ１０４では、局部発振信号ＳＧ２と、帯域信号ＳＧ５を掛け合わせることにより周波数変換し、出力信号ＳＧ６を出力する。
【００２７】
次に、図２に、図１に示した実施例１の入力フィルタ１０３の一実施例の構成図を示す。
入力フィルタ１０３は、主として１つのコイルＬ１と、コンデンサ（Ｃ１〜Ｃｎ）とからなり、このコイルとコンデンサとが、入力端子ＩＮおよび出力端子ＯＵＴと、接地端子ＧＮＤとの間に並列に接続されてなるいわゆる同調フィルタである。
【００２８】
さらに、制御信号ＳＧ３により種々の帯域制限が可能となるように、複数のコンデンサ（Ｃ１〜Ｃｎ）が並列に接続され、これらのコンデンサ（Ｃ１〜Ｃｎ）のそれぞれと直列に、スイッチ（ＳＷ１〜ＳＷｎ）が接続される。
図示したコイル、コンデンサおよびスイッチは、１つのＩＣの内部に集積化して組み込まれる。
【００２９】
また、スイッチ（ＳＷ１〜ＳＷｎ）のＯＮまたはＯＦＦを制御するために、制御信号ＳＧ３が通過周波数制御装置１０１から与えられる。
制御信号ＳＧ３の値に基づいてオンされるスイッチの組み合わせを異ならせることにより、したがって、コンデンサ全体の容量を可変させる。
制御信号ＳＧ３によりコンデンサ容量を可変にすれば、コイルＬ１とコンデンサとで決定される通過周波数が変化させられる。
【００３０】
図２の入力フィルタ１０３では、その基本的な構成要素として、コイルＬ１、コンデンサ（Ｃ１〜Ｃｎ）およびスイッチ（ＳＷ１〜ＳＷｎ）とを含むものであるが、これらは、ディスクリート部品を用いずに、１つのＩＣ素子の内部に集積化して組み込むことができる。
すなわち、入力フィルタ１０３の一部分の素子を集積化することにより基板上に搭載する部品点数を減らすことができるので、受信装置の回路基板全体のサイズを小型化することができる。
【００３１】
次に図３に、この発明の実施例１の入力フィルタ１０３の他の実施例の構成図を示す。
この入力フィルタ１０３は、図２のコンデンサ（Ｃ１〜Ｃｎ）を、ＭＯＳトランジスタを利用した「容量可変コンデンサＣａ」に置換して構成した同調フィルタである。この容量可変コンデンサＣａも、コイルＬ１とともに、１つのＩＣに集積化する。
また、入力信号ＳＧ１と出力信号ＳＧ５は、差動入出力となっている。
【００３２】
図３において、容量可変コンデンサＣａは、２つのＭＯＳトランジスタＴ１，Ｔ２と、抵抗Ｒ１，Ｒ２およびＲ３とから構成される。通過周波数制御装置１０１から与えられる制御信号ＳＧ３は、抵抗Ｒ２の一端に入力される。
制御信号ＳＧ３の値を変化させることにより、容量可変コンデンサＣａの容量が変化し、入力フィルタ１０３の出力である帯域信号ＳＧ５の通過周波数が制御される。
【００３３】
図３では、入力フィルタ１０３の容量成分としてＭＯＳトランジスタを用いているが、ＭＯＳトランジスタをＩＣに組み込んだ場合にＭＯＳトランジスタはコンデンサよりも小面積ですむので、ＩＣ内での入力フィルタの占有面積をより小さくできる。
【００３４】
また、入力フィルタに一部の素子を１つのＩＣに組み込むだけでなく、入力フィルタの全部の素子を１つのＩＣに組み込んでもよい。また、入力フィルタに加えて、ＶＣＯ回路１０６とＰＬＬ回路１０７とを１つのＩＣに組み込んでもよい。さらに、この１つのＩＣに、ミキサ１０４を組み込んでもよい。
【００３５】
＜実施例２＞
図４に、この発明の実施例２の受信装置の構成図を示す。
ＰＬＬ回路１０７からＶＣＯ回路１０６に与えられる制御電圧Ｖが、通過周波数制御装置１０１にも与えられる点が、実施例１の図１の構成と異なる。
ここで、制御電圧Ｖを通過周波数制御装置１０１に与えるのは、ＩＣを構成する個々の素子について特性のばらつきを検出して、制御信号ＳＧ３を調整するためである。ここで、ＩＣは、少なくとも入力フィルタ１０３の一部の素子とＰＬＬ回路１０７を構成する素子を含むものとする。
【００３６】
図１に示した通過周波数制御装置１０１は、記憶装置１０２に予め記憶された設計値どおりのテーブルデータに基づいて制御信号ＳＧ３を出力していたので、ＰＬＬ回路１０７等を構成する素子が設計値どおりの特性を有する場合は、入力フィルタ１０３において所望の帯域信号ＳＧ５が出力されていた。
しかし、ＰＬＬ回路１０７などにおいて素子特性にばらつきがある場合は、単に設計値どおりの制御信号ＳＧ３を出力していたのでは、所望の帯域信号ＳＧ５が得られない場合がある。
そこで、ＰＬＬ回路１０７などを構成する素子のばらつきを考慮した制御信号ＳＧ３を得るために、ＰＬＬ回路１０７からの制御電圧Ｖを通過周波数制御装置１０１に入力させる。
ＩＣを構成する素子の特性がばらついた場合、ＰＬＬ回路１０７から出力される制御電圧Ｖは、この特性のばらつきに対応して変化するので、制御電圧Ｖの設計時の標準的な値Ｖｏと、通過周波数制御装置１０１に入力された実際の制御電圧Ｖとを比較することにより、制御信号ＳＧ３を調整することができる。
【００３７】
この実施例２では、通過周波数制御装置１０１の内部には、ＰＬＬ回路１０７から与えられる制御電圧Ｖを検出する回路が設けられる。
また、設計時の標準的な制御電圧Ｖｏは予めわかっているので、この２つの電圧ＶとＶｏとの比較あるいは差を検出する比較部が設けられる。
さらに、入力された選局信号ＳＧ４と、読み出したテーブルデータとから決定された通過周波数を、比較部の出力結果により調整するための調整部が、通過周波数制御装置内に設けられる。
【００３８】
以下に、これらの比較部，調整部によりどのように通過周波数を調整するかについて具体例を説明する。
図６に、この発明の実施例２で用いるテーブルデータを示す。
ここで、テーブル１は、入力された選局信号（ｃｈ１，２…）ＳＧ４に対応した標準的な制御電圧Ｖｏの値を記憶したものである。
テーブル２は、標準的な制御電圧の値Ｖｏと入力された制御電圧Ｖとの差ごとに予め決められたスイッチのｏｎ／ｏｆｆ情報を記憶したものである。
このスイッチのｏｎ／ｏｆｆ情報が、制御信号ＳＧ３として図２の入力フィルタ１０３に与えられる。テーブル２は、一実施例としてスイッチが４つの場合を示しているがこれに限るものではない。
実施例２では、このスイッチのｏｎ／ｏｆｆ情報が、記憶部に記憶される周波数情報に相当する。
【００３９】
まず、通過周波数制御装置１０１は、テーブル１を用いて入力された選局信号ＳＧ４から選局信号に対応した標準的な制御電圧Ｖｏを読み出す。
次に、比較部において、読み出した制御電圧Ｖｏと、入力された実際の制御電圧Ｖの値とを比較する。たとえばＶｏ−Ｖの値を算出する。次に、調整部において、テーブル２を用いて、選局信号ＳＧ４と、Ｖｏ−Ｖの値との組合せに対応するスイッチのｏｎ／ｏｆｆ情報を読み出す。
【００４０】
たとえば、選局信号ＳＧ４がｃｈ１で、Ｖｏ−Ｖが負であった場合は、４つのスイッチ（ＳＷ１〜ＳＷ４）についてすべてｏｆｆという情報が読み出される。
そして、この読み出されたスイッチのｏｎ／ｏｆｆ情報が、制御信号ＳＧ３として、入力フィルタ１０３に出力される。
制御電圧Ｖ＝Ｖｏのときに出力される制御信号ＳＧ３と、Ｖ≠Ｖｏのときに出力される制御信号ＳＧ３に含まれるｏｎ／ｏｆｆ情報とは異なるので、制御電圧を検出することにより、入力フィルタにおいて通過周波数が調整されることになる。
【００４１】
以上のようにして通過周波数を調整しているので、ＰＬＬ回路等を構成する素子に特性のばらつきがある場合でも、個別に最適な通過周波数を選択することができる。
なお、実施例２において、入力されたＲＦ信号ＳＧ１が入力フィルタ１０３で帯域制限され、さらにミキサ１０４で局部発振信号に基づいて周波数変換された出力信号ＳＧ６を出力する点は、実施例１と同様である。
【００４２】
＜実施例３＞
ここでは、入力フィルタ１０３の温度特性を考慮して周波数を調整する場合について説明する。
入力フィルタ１０３は、動作する環境温度によってもその周波数特性が変化する。そこで、テーブルデータに、温度によるばらつきを考慮したデータを記憶するようにすれば、温度に対する通過周波数の調整ができる。
【００４３】
図７に、この発明の実施例３で用いるテーブルデータを示す。ここでは、温度の項目を設け、温度ごとに分類された周波数情報、すなわちスイッチのｏｎ／ｏｆｆ情報を記憶する。温度としては、たとえば「低温」，「常温」，「高温」という３種類を設ける。ただし、これに限るものではなく、それぞれ所定の温度範囲を規定してもよい。たとえば、「低温」とは−２０℃〜２０℃、「常温」とは２０℃〜５０℃という数値を記憶してもよい。
【００４４】
そして、この発明の受信装置を使用する際に、使用環境の温度が、このテーブルデータの温度分類のどれに対応するかを予め利用者が設定又は入力し、通過周波数制御装置に与えればよい。
この実施例では、通過周波数制御装置１０１が、図７のテーブルデータを参照し、選局信号ＳＧ４と設定された環境温度とから一意的に定められるスイッチのｏｎ／ｏｆｆ情報からなる制御信号ＳＧ３を出力する。局部発振器１０５や入力フィルタ１０３等の動作は実施例１と同様である。
このように温度変化に対応させた情報をテーブルデータとして記憶すれば、動作環境の温度に対応した適切な通過周波数を選択することができる。
【００４５】
＜実施例４＞
ここでは、図８に示すように、新たに温度検出装置１０８を設ける。すなわち、実施例３のように予め設定記憶された温度情報に基づくのではなく、実際の使用環境の温度を測定し、その測定温度に対応した制御信号ＳＧ３を出力するようにする。
【００４６】
図８に、この発明の実施例４の受信装置の構成図を示す。温度検出装置１０８は、集積化された入力フィルタ１０３などの表面温度を検出し、温度自体をデジタル化した数値、あるいは温度に対応した情報等を通過周波数制御装置１０１へ出力するものである。
【００４７】
この実施例４でも、実施例３で示したような温度の項目を設けたテーブルデータを記憶装置１０２に記憶するようにすればよい。
通過周波数制御装置１０１は、温度検出装置１０８から与えられる温度情報が、テーブルデータのどの温度分類に属するかを判断する。
そして、この実施例では、通過周波数制御装置１０１は、選局信号ＳＧ４と、温度検出装置１０８から与えられた温度情報とから一意的に定められ、かつスイッチのｏｎ／ｏｆｆ情報からなる制御信号ＳＧ３を入力フィルタ１０３に出力する。
この実施例４によれば、温度検出装置１０８を設けているので、より実際の動作環境の温度に対応した適切な通過周波数を選択することができる。
【００４８】
＜実施例５＞
ここでは、受信装置の素子のばらつきを考慮して、通過周波数を調整する場合の実施例について説明する。
受信装置を構成する素子は所定の設計値を基準に製造されるが、物理的に完全に同一のものは製造することはできず、必ず製造上のばらつきが発生する。
ここで、製造上のばらつきとは、素子の寸法上のずれ，コンデンサ容量のずれ，抵抗の抵抗値のずれ，トランジスタの閾値電圧のずれなどを意味する。この製造上のばらつきによって、通過周波数が変化し、所望の受信特性が得られない場合もある。
したがって、この製造上のばらつきがあること、およびどの程度ばらつきがあるかが、動作する前や実際の動作時にわかれば、通過周波数を適切に調整することが可能となる。
【００４９】
実施例２では、ＰＬＬ回路１０７から出力される制御電圧Ｖを考慮して、通過周波数制御装置１０１で制御信号ＳＧ３を決定する場合を示したが、ここでは、データテーブルに、素子のばらつきを考慮したデータを予め記憶することにより制御信号ＳＧ３を決定する。
この実施例５では、受信装置の中で対象とする素子は、入力フィルタとする。また、素子のばらつきとしては、たとえば、コンデンサ容量の絶対ばらつき，抵抗の抵抗値の絶対ばらつきを意味するものとする。
ただし、素子のばらつきはこれに限るものではなく、通過周波数の変化に影響を及ぼすおそれのある他の素子のばらつきを考慮してもよい。
【００５０】
図９に、この発明の実施例５で用いるデータテーブルを示す。
ここで、図７に示した「温度」の項目のかわりに、「ばらつき」の項目を設けている。たとえば、入力フィルタを構成する素子特性のばらつきごとに分類された周波数情報を記憶し、「ばらつき」の程度により、ｏｎ又はｏｆｆするスイッチを代える。
【００５１】
図９において「ばらつき」としては、ばらつきのない設計時どおりの場合を「０」、設計値よりもばらつきが高い場合を「＋」、設計値よりもばらつきが低い場合を「−」として示している。
これは、ばらつきの程度により各スイッチのｏｎ／ｏｆｆ状態を変化させることを示したものであり、ばらつきの程度がより具体的に数値化でき、そのばらつきの数値と通過周波数の調整量との関係が、さらに詳細にわかる場合は、他のデータを用いてもよい。
【００５２】
この実施例５では、「素子のばらつき」に関する情報を（すなわち「０」、「＋」、「−」のいずれか）利用者が設定あるいは入力して、通過周波数制御装置１０１に与えるようにする。そして、通過周波数制御装置１０１が、図９のテーブルデータを参照し、選局信号ＳＧ４と設定された「素子のばらつき」とから一意的に定められるスイッチのｏｎ／ｏｆｆ情報からなる制御信号ＳＧ３を出力する。
なお、入力フィルタ１０３等の動作は実施例１と同様である。この実施例５によれば、素子のばらつきを考慮した通過周波数の調整が可能となる。
また、使用前に利用者が素子のばらつきがあるか否かわからない場合でも、利用者が必要に応じて、ばらつきに関する情報を「＋」や「−」に設定変更してやることにより、適切な通過周波数を選択できる。
【００５３】
＜実施例６＞
ここでは、図１０に示すように、新たに素子ばらつき検出装置１０９を設ける。
すなわち、実施例５のように、予め設定された素子のばらつき情報に基づくのではなく、実際の受信装置固有の素子のばらつきを測定し、その測定ばらつきに対応した制御信号ＳＧ３を出力するようにする。
【００５４】
図１０に、この発明の実施例６の受信装置の構成図を示す。素子ばらつき検出装置１０９は、たとえば、入力フィルタ１０３のコンデンサについてのばらつきを検出する回路から構成され、ばらつきに対応する情報を通過周波数制御装置１０１へ出力するものである。
そして予め定められた設計値と検出されたばらつきに関する情報との差異を求めれば、ばらつきの有無及びばらつきの量が検出できる。
【００５５】
この実施例６でも、図９に示したような「ばらつき」の項目を設けたテーブルデータを用いればよい。
そして、選局信号ＳＧ４と、素子ばらつき検出装置１０９から与えられたばらつき情報とから一意的に定められ、かつスイッチのｏｎ／ｏｆｆ情報からなる制御信号ＳＧ３を入力フィルタ１０３に出力すればよい。
この実施例６によれば、素子ばらつき検出装置１０９を設けているので、実際の受信装置固有の素子のばらつきに対応したより適切な通過周波数を選択することができる。
【００５６】
【発明の効果】
この発明によれば、入力フィルタを構成する素子を集積回路化しているので、受信装置の部品点数を減らし、小型化することができる。また、ＰＬＬ回路から出力される制御電圧を通過周波数制御装置に与えて入力フィルタの帯域制限用制御信号を調整しているので、ＰＬＬ回路を構成する素子のばらつきを考慮した通過周波数の選択が可能である。
【図面の簡単な説明】
【図１】この発明の実施例１の受信装置の構成図である。
【図２】この発明の実施例１の入力フィルタの構成図である。
【図３】この発明の実施例１の入力フィルタの他の構成図である。
【図４】この発明の実施例２の受信装置の構成図である。
【図５】従来の受信装置の構成図である。
【図６】この発明の実施例２で用いるテーブルデータの説明図である。
【図７】この発明の実施例３で用いるテーブルデータの説明図である。
【図８】この発明の実施例４の受信装置の構成図である。
【図９】この発明の実施例５で用いるテーブルデータの説明図である。
【図１０】この発明の実施例６の受信装置の構成図である。
【符号の説明】
１０１  通過周波数制御装置
１０２  記憶装置
１０３  入力フィルタ
１０４  ミキサ
１０５  局部発振器
１０６  ＶＣＯ回路
１０７  ＰＬＬ回路
ＳＧ１  ＲＦ信号
ＳＧ２  局部発振信号
ＳＧ３  制御信号
ＳＧ４  選局信号
ＳＧ５  帯域信号
ＳＧ６  出力信号
【図１】
2004158979.tif 000003
【図２】
2004158979.tif 000004
【図３】
2004158979.tif 000005
【図４】
2004158979.tif 000006
【図５】
2004158979.tif 000007
【図６】
2004158979.tif 000008
【図７】
2004158979.tif 000009
【図８】
2004158979.tif 000010
【図９】
2004158979.tif 000011
【図１０】
2004158979.tif 000012